(57)【要約】 【課題】  カーカスコードが一対のビード部の周方向に沿って螺旋状に巻き付けられた構造において、荷重に対する耐久性がさらに向上する空気入りタイヤ、及び空気入りタイヤ製造方法を提供する。【解決手段】  本発明に係る空気入りタイヤ１０は、カーカスコード１２ｃが、一対のビード部１１の周方向に沿って螺旋状に巻き付けられた構造を有しており、トレッド幅方向の断面における形状の少なくとも一部が円弧であるフランジ部１４を備え、ビード部１１のトレッド幅方向内側に位置する内側カーカスコード部分１２ｃｉと、ビード部１１のトレッド幅方向外側に位置する外側カーカスコード部分１２ｃｏとは、トレッド幅方向の断面において、空気入りタイヤ１０の回転軸と略平行な平行線Ｌ１と、平行線Ｌ１との角度αが６０度である傾斜線Ｌ２との範囲内において、重なり合う。【選択図】  図２
2006131001.tif 000002
【特許請求の範囲】
【請求項１】
カーカスプライを構成するカーカスコードが、一対のビード部の周方向に沿って螺旋状に巻き付けられた構造を有する空気入りタイヤであって、
前記ビード部のトレッド幅方向外側に位置し、トレッド幅方向の断面における形状の少なくとも一部が円弧であるフランジ部を備え、
前記ビード部のトレッド幅方向内側に位置する前記カーカスコードの部分である内側カーカスコード部分と、前記ビード部のトレッド幅方向外側に位置する前記カーカスコードの部分である外側カーカスコード部分とは、
トレッド幅方向の断面において、前記円弧の半径中心を通り、前記空気入りタイヤの回転軸と略平行な平行線と、
前記半径中心を通り、前記空気入りタイヤのトレッド部の方向に向けて延びるとともに、トレッド幅方向の断面において、前記平行線との角度が６０度である傾斜線との範囲内において、重なり合うことを特徴とする空気入りタイヤ。
【請求項２】
カーカスプライを構成するカーカスコードが、一対のビード部の周方向に沿って螺旋状に巻き付けられた構造を有する空気入りタイヤを製造する空気入りタイヤ製造方法であって、
前記一対のビード部は、円環状のビードコアと、前記ビードコアの径方向外側に配置され、タイヤ周方向に沿って延びるとともにトレッド幅方向の断面形状が略三角形状であるフィラーゴムとによって構成されており、
前記一対のビード部の回転中心が同一の直線上に並ぶように、所定の距離を隔てて略平行に前記一対のビード部を配置するステップと、
前記一対のビード部にトレッド幅方向から交差し、前記一対のビード部を囲むスプール誘導レールに沿って、前記カーカスコードが巻き付けられたスプールを移動させるステップと、
前記スプールの移動と連動して、前記一対のビード部を、前記ビード部の周方向に沿って回動させるステップと
を備えることを特徴とする空気入りタイヤ製造方法。
【請求項３】
前記フィラーゴムは、
前記ビード部のトレッド幅方向内側に位置する前記カーカスコードの部分である内側カーカスコード部分と、前記ビード部のトレッド幅方向外側に位置する前記カーカスコードの部分である外側カーカスコード部分とが、
トレッド幅方向の断面において、前記円弧の半径中心を通り、前記空気入りタイヤの回転軸と略平行な平行線と、
前記半径中心を通り、前記空気入りタイヤのトレッド部の方向に向けて延びるとともに、トレッド幅方向の断面において、前記平行線との角度が６０度である傾斜線との範囲内において、重なり合うような形状を有していることを特徴とする請求項２に記載の空気入りタイヤ製造方法。
【発明の詳細な説明】
【技術分野】
【０００１】
本発明は、カーカスプライを構成するカーカスコードが、一対のビード部の周方向に沿って螺旋状に巻き付けられた構造を有する空気入りタイヤ、及び空気入りタイヤ製造方法に関する。
【背景技術】
【０００２】
自動車などの車両に装着される一般的な空気入りタイヤは、一対のビードコアと、ビードコアによって支持されるカーカスプライとを備えている。カーカスプライの両端部は、ビードコアを巻き込むように、トレッド幅方向の内側から外側に折り返されている。
【０００３】
このような空気入りタイヤでは、ビードコアとカーカスプライとが接触し、カーカスプライを構成するカーカスコードの破断や、カーカスプライのセパレーションが発生する場合がある。
【０００４】
そこで、カーカスコードの破断やカーカスプライのセパレーションを抑制するため、有機繊維コードにゴムが被覆された帯状の有機繊維コード層をそれぞれのビードコアに巻き付ける技術が開示されている（例えば、特許文献１）。
【０００５】
また、上述したような、ビードコアを巻き込むように、カーカスプライの両端部がトレッド幅方向の内側から外側に折り返されている構造と異なる構造を有する空気入りタイヤも知られている。
【０００６】
具体的には、当該空気入りタイヤは、カーカスプライを構成するカーカスコードが、ビードコアとフィラーゴムとによって構成されるビード部の周方向に沿って螺旋状に巻き付けられた構造を有している（以下、このような構造を有する空気入りタイヤを、ループプライ型空気入りタイヤという）。
【０００７】
すなわち、ループプライ型空気入りタイヤのカーカスコードは、一方のビードコア外側（トレッド幅方向外側）を始点とした場合、一方のサイドウォール部、トレッド部、他方のサイドウォール部、他方のビードコア外側、及び他方のビードコア内側を経由する。
【０００８】
さらに、当該カーカスコードは、他方のサイドウォール部、トレッド部、当該一方のサイドウォール部、及び当該一方のビードコア内側を経由して、当該一方のビードコア外側に戻る。
【特許文献１】特開２００４−１４２４７８号公報（第４−５頁、第３図）
【発明の開示】
【発明が解決しようとする課題】
【０００９】
しかしながら、上述した従来のループプライ型空気入りタイヤには、次のような問題があった。すなわち、従来のループプライ型空気入りタイヤでは、ループプライ型空気入りタイヤに荷重が掛けられると、ビードコア外側に位置するカーカスプライ（カーカスコード）と、ビードコア内側に位置するカーカスプライ（カーカスコード）とに作用する破断強力の大きさに差が生じる。
【００１０】
このため、仮に、上述したように、ビードコアに有機繊維コード層を巻き付けたとしても、ビードコアとカーカスコードとの間に位置するカーカスプライなどのゴム部分がせん断変形を効果的に抑制することはできず、カーカスコードの破断や、当該ゴム部分のセパレーションが発生する問題があった。
【００１１】
そこで、本発明は、このような状況に鑑みてなされたものであり、カーカスコードが一対のビード部の周方向に沿って螺旋状に巻き付けられた構造において、荷重に対する耐久性がさらに向上する空気入りタイヤ、及び空気入りタイヤ製造方法を提供することを目的とする。
【課題を解決するための手段】
【００１２】
上述した課題を解決するため、本発明は、次のような特徴を有している。まず、本発明の第１の特徴は、カーカスプライ（例えば、カーカスプライ１２）を構成するカーカスコード（カーカスコード１２ｃ）が、一対のビード部（ビード部１１）の周方向に沿って螺旋状に巻き付けられた構造を有する空気入りタイヤ（例えば、空気入りタイヤ１０）であって、前記ビード部のトレッド幅方向外側に位置し、トレッド幅方向の断面における形状の少なくとも一部が円弧であるフランジ部（フランジ部１４）を備え、前記ビード部のトレッド幅方向内側に位置する前記カーカスコードの部分である内側カーカスコード部分（内側カーカスコード部分１２ｃｉ）と、前記ビード部のトレッド幅方向外側に位置する前記カーカスコードの部分である外側カーカスコード部分（外側カーカスコード部分１２ｃｏ）とは、トレッド幅方向の断面において、前記円弧の半径中心（半径中心ＣＮ）を通り、前記空気入りタイヤの回転軸と略平行な平行線（平行線Ｌ１）と、前記半径中心を通り、前記空気入りタイヤのトレッド部（トレッド部１５）の方向に向けて延びるとともに、トレッド幅方向の断面において、前記平行線との角度（角度α）が６０度である傾斜線（傾斜線Ｌ２）との範囲内において、重なり合うことを要旨とする。
【００１３】
かかる特徴によれば、空気入りタイヤに荷重が掛かったときでも、空気入りタイヤ（ビード部）が大きく屈曲しない位置において、内側カーカスコード部分と外側カーカスコード部分とが重なり合うようにすることができる。
【００１４】
したがって、空気入りタイヤに荷重が掛かったときに、内側カーカスコード部分と、外側カーカスコード部分とに作用する破断強力の差を抑制することができる。
【００１５】
すなわち、本発明の実施形態によれば、カーカスコードが一対のビードコアの周方向に沿って螺旋状に巻き付けられた構造において、荷重に対する耐久性がさらに向上する空気入りタイヤを提供することができる。
【００１６】
本発明の第２の特徴は、カーカスプライ（例えば、カーカスプライ１２）を構成するカーカスコード（カーカスコード１２ｃ）が、一対のビード部（ビード部１１）の周方向に沿って螺旋状に巻き付けられた構造を有する空気入りタイヤ（例えば、空気入りタイヤ１０）を製造する空気入りタイヤ製造方法であって、前記一対のビード部は、円環状のビードコア（ビードコア１１ａ）と、前記ビードコアの径方向外側に配置され、タイヤ周方向に沿って延びるとともにトレッド幅方向の断面形状が略三角形状であるフィラーゴム（フィラーゴム１１ｂ）とによって構成されており、前記一対のビード部の回転中心（回転中心ＲＣ）が同一の直線上に並ぶように、所定の距離を隔てて略平行に前記一対のビード部を配置するステップと、前記一対のビード部にトレッド幅方向から交差し、前記一対のビード部を囲むスプール誘導レール（スプール誘導レール１００）に沿って、前記カーカスコードが巻き付けられたスプール（スプール１１０）を移動させるステップと、前記スプールの移動と連動して、前記一対のビード部を、前記ビード部の周方向に沿って回動させるステップとを備えることを要旨とする。
【００１７】
本発明の第３の特徴は、本発明の第２の特徴に係り、前記フィラーゴムは、前記ビード部のトレッド幅方向内側に位置する前記カーカスコードの部分である内側カーカスコード部分（内側カーカスコード部分１２ｃｉ）と、前記ビード部のトレッド幅方向外側に位置する前記カーカスコードの部分である外側カーカスコード部分（外側カーカスコード部分１２ｃｏ）とが、トレッド幅方向の断面において、前記円弧の半径中心（半径中心ＣＮ）を通り、前記空気入りタイヤの回転軸と略平行な平行線（平行線Ｌ１）と、前記半径中心を通り、前記空気入りタイヤのトレッド部（トレッド部１５）の方向に向けて延びるとともに、トレッド幅方向の断面において、前記平行線との角度（角度α）が６０度である傾斜線（傾斜線Ｌ２）との範囲内において、重なり合うような形状を有していることを要旨とする。
【発明の効果】
【００１８】
本発明の特徴によれば、カーカスコードが一対のビードコアの周方向に沿って螺旋状に巻き付けられた構造において、荷重に対する耐久性がさらに向上する空気入りタイヤ、及び空気入りタイヤ製造方法を提供することができる。
【発明を実施するための最良の形態】
【００１９】
次に、本発明に係る空気入りタイヤの実施形態について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。
【００２０】
したがって、具体的な寸法などは以下の説明を参酌して判断すべきものである。また、図面相互間においても互いの寸法の関係や比率が異なる部分が含まれていることは勿論である。
【００２１】
［第１実施形態］
（空気入りタイヤの構成）
（１）概略構成
図１は、本発明の第１実施形態に係る空気入りタイヤ１０のトレッド幅方向の一部断面図である。空気入りタイヤ１０は、カーカスプライ１２を構成するカーカスコード１２ｃが、一対のビード部１１の周方向に沿って螺旋状に巻き付けられた構造（図３参照）を有する、いわゆるループプライ型空気入りタイヤである。空気入りタイヤ１０は、乗用車用の空気入りタイヤであり、タイヤサイズは、１９５／６５Ｒ１４である。
【００２２】
ビード部１１は、空気入りタイヤ１０をリムホイール（不図示）に固定するビードコア１１ａと、ビード部１１の剛性を高めるとともに、カーカスプライ重複点Ｘの位置を調整するフィラーゴム１１ｂとによって構成されている。
【００２３】
カーカスプライ１２は、空気入りタイヤ１０の骨格を形成するものである。カーカスプライ１２を構成するカーカスコード１２ｃは、上述したように、一対のビード部１１の周方向に沿って螺旋状に巻き付けられている。なお、カーカスプライ１２などのより具体的な構成については、後述する。
【００２４】
ベルトプライ１３ａ及びベルトプライ１３ｂは、カーカスプライ１２を補強するものである。また、ベルトプライ１３ａ及びベルトプライ１３ｂのタイヤ径方向外側には、路面と接地するトレッド部１５が設けられている。
【００２５】
フランジ部１４は、ビード部１１のトレッド幅方向外側に位置し、トレッド幅方向の断面における形状の少なくとも一部が円弧となっている。フランジ部１４には、リムホイール（不図示）のリム部分が当接する。
【００２６】
（２）ビード部付近の詳細構成
図２は、空気入りタイヤ１０のトレッド幅方向の一部拡大断面図である。ここで、カーカスコード１２ｃのうち、ビード部１１のトレッド幅方向内側に位置するカーカスコード１２ｃの部分を内側カーカスコード部分１２ｃｉという。
【００２７】
また、カーカスコード１２ｃのうち、ビード部１１のトレッド幅方向外側に位置するカーカスコード１２ｃの部分を外側カーカスコード部分１２ｃｏという。
【００２８】
内側カーカスコード部分１２ｃｉと、外側カーカスコード部分１２ｃｏとは、トレッド幅方向の断面において、フランジ部１４を構成する円弧の半径中心ＣＮを通り、空気入りタイヤ１０の回転軸（不図示）と略平行な平行線Ｌ１と、半径中心ＣＮを通り、空気入りタイヤ１０のトレッド部１５の方向に向けて延びるとともに、トレッド幅方向の断面において、平行線Ｌ１との角度αが６０度である傾斜線Ｌ２との範囲内において、重なり合っている。
【００２９】
具体的には、内側カーカスコード部分１２ｃｉと、外側カーカスコード部分１２ｃｏとは、平行線Ｌ１と傾斜線Ｌ２との範囲内に位置するカーカスプライ重複点Ｘにおいて重なり合っている。
【００３０】
すなわち、本実施形態によれば、空気入りタイヤ１０に荷重が掛かったときでも、空気入りタイヤ１０（ビード部１１）が大きく屈曲しない位置にカーカスプライ重複点Ｘを設定することができる。
【００３１】
したがって、空気入りタイヤ１０に荷重が掛かったときに、内側カーカスコード部分１２ｃｉと外側カーカスコード部分１２ｃｏとに作用する破断強力の差を抑制することができる。
【００３２】
（空気入りタイヤの製造方法）
次に、図３を参照して、空気入りタイヤ１０の製造方法について説明する。上述したように、一対のビード部１１は、円環状のビードコア１１ａと、ビードコア１１ａの径方向外側に配置され、タイヤ周方向に沿って延びるとともにトレッド幅方向の断面形状が略三角形状であるフィラーゴム１１ｂとによって構成されている。
【００３３】
空気入りタイヤ１０は、概ね次のような手順にしたがって製造される。まず、一対のビード部１１の回転中心ＲＣが同一の直線上に並ぶように、製造するタイヤサイズの幅に応じた距離（所定の距離）を隔てて略平行に一対のビード部１１が配置される。
【００３４】
次いで、一対のビード部１１にトレッド幅方向から交差し、一対のビード部１１を囲むスプール誘導レール１００に沿って、カーカスコード１２ｃが巻き付けられたスプール１１０をＡＲ２方向に移動させる。
【００３５】
さらに、スプール１１０のＡＲ２方向への移動と連動して、一対のビード部１１を、ビード部１１の周方向に沿って、ＡＲ１方向に回動させる。
【００３６】
このような手順を実行することによって、カーカスコード１２ｃが一対のビード部１１の周方向に沿って螺旋状に巻き付けられた構造を有する、いわゆるループプライ型空気入りタイヤを製造することができる。
【００３７】
なお、スプール誘導レール１００は、開閉部１００ａを有している。スプール誘導レール１００は、開放された開閉部１００ａを介して、ビード部１１を囲むように装着される。また、カーカスコード１２ｃをビード部１１に螺旋状に巻き付けた後、スプール誘導レール１００は、開閉部１００ａを開放してビード部１１から取り外される。
【００３８】
また、フィラーゴム１１ｂは、図２に示したように、内側カーカスコード部分１２ｃｉと、外側カーカスコード部分１２ｃｏとが、トレッド幅方向の断面において、平行線Ｌ１と傾斜線Ｌ２との範囲内において、重なり合うような形状を有している。
【００３９】
［第２実施形態］
図４は、本発明の第２実施形態に係る空気入りタイヤ２０のトレッド幅方向の一部拡大断面図である。以下、上述した空気入りタイヤ１０と異なる部分について、主に説明するものとし、空気入りタイヤ１０と同様の部分については、その説明を適宜省略する。
【００４０】
空気入りタイヤ２０は、上述した空気入りタイヤ１０と同様に、カーカスプライ２２を備え、カーカスコード２２ｃが一対のビード部２１の周方向に沿って螺旋状に巻き付けられた構造を有するループプライ型空気入りタイヤである。空気入りタイヤ２０は、トラック・バス用の空気入りタイヤであり、タイヤサイズは、１０．００Ｒ２０である。
【００４１】
ビードコア２１ａとフィラーゴム２１ｂとによって構成されるビード部２１のトレッド幅方向内側に位置する内側カーカスコード部分２２ｃｉと、ビード部２１のトレッド幅方向外側に位置する外側カーカスコード部分２２ｃｏとは、トレッド幅方向の断面において、フランジ部２４を構成する円弧の半径中心ＣＮを通り、空気入りタイヤ２０の回転軸（不図示）と略平行な平行線Ｌ１と、半径中心ＣＮを通り、空気入りタイヤ２０のトレッド部（不図示）の方向に向けて延びるとともに、トレッド幅方向の断面において、平行線Ｌ１との角度αが６０度である傾斜線Ｌ２との範囲内において、重なり合っている（図中のカーカスプライ重複点Ｘ）。
【００４２】
［第３実施形態］
図５は、本発明の第３実施形態に係る空気入りタイヤ３０のトレッド幅方向の一部拡大断面図である。
【００４３】
空気入りタイヤ３０は、上述した空気入りタイヤ１０と同様に、カーカスプライ３２を備え、カーカスコード３２ｃが一対のビード部３１の周方向に沿って螺旋状に巻き付けられた構造を有するループプライ型空気入りタイヤである。空気入りタイヤ３０は、トラック・バス用の空気入りタイヤであり、タイヤサイズは、２９５／８０Ｒ２２．５である。
【００４４】
ビードコア３１ａとビードフィラー３１ｂとによって構成されるビード部３１のトレッド幅方向内側に位置する内側カーカスコード部分３２ｃｉと、ビード部３１のトレッド幅方向外側に位置する外側カーカスコード部分３２ｃｏとは、トレッド幅方向の断面において、フランジ部３４を構成する円弧の半径中心ＣＮを通り、空気入りタイヤ３０の回転軸（不図示）と略平行な平行線Ｌ１と、半径中心ＣＮを通り、空気入りタイヤ３０のトレッド部（不図示）の方向に向けて延びるとともに、トレッド幅方向の断面において、平行線Ｌ１との角度αが６０度である傾斜線Ｌ２との範囲内において、重なり合っている（図中のカーカスプライ重複点Ｘ）。
【００４５】
［第４実施形態］
図６は、本発明の第４実施形態に係る空気入りタイヤ４０のトレッド幅方向の一部拡大断面図である。
【００４６】
空気入りタイヤ４０は、上述した空気入りタイヤ１０と同様に、カーカスプライ４２を備え、カーカスコード４２ｃが一対のビード部４１の周方向に沿って螺旋状に巻き付けられた構造を有するループプライ型空気入りタイヤである。空気入りタイヤ４０は、建設機械（オフロード）用の空気入りタイヤであり、タイヤサイズは、４０．００Ｒ５７である。
【００４７】
ビードコア４１ａとビードフィラー４１ｂとによって構成されるビード部４１のトレッド幅方向内側に位置する内側カーカスコード部分４２ｃｉと、ビード部４１のトレッド幅方向外側に位置する外側カーカスコード部分４２ｃｏとは、トレッド幅方向の断面において、フランジ部４４を構成する円弧の半径中心ＣＮを通り、空気入りタイヤ４０の回転軸（不図示）と略平行な平行線Ｌ１と、半径中心ＣＮを通り、空気入りタイヤ４０のトレッド部（不図示）の方向に向けて延びるとともに、トレッド幅方向の断面において、平行線Ｌ１との角度αが６０度である傾斜線Ｌ２との範囲内において、重なり合っている（図中のカーカスプライ重複点Ｘ）。
【００４８】
［比較評価］
次に、上述した本発明の第１実施形態〜第４実施形態に係る空気入りタイヤの比較評価の結果について説明する。
【表１】
2006131001.tif 000003
【００４９】
表１は、上述した第１実施形態〜第４実施形態に係る空気入りタイヤの諸元、及び比較評価試験の条件、及び比較評価の試験結果を示している。
【００５０】
比較評価の試験では、正規荷重（ＪＡＴＭＡなどによって規定されている正規荷重）よりも大きい荷重（１１０〜１３０％）を空気入りタイヤに掛けた状態において、当該空気入りタイヤを一定の距離回転（ドラム試験機を使用）させた。
【００５１】
その後、空気入りタイヤを構成するカーカスコードの破断強力（残破断強力）を測定した。表１に示すように、第１実施形態〜第４実施形態に係る空気入りタイヤは、従来のループプライ型空気入りタイヤと比較して、残破断強力が向上している。
【００５２】
なお、従来の空気入りタイヤとは、カーカスコードが一対のビード部の周方向に沿って螺旋状に巻き付けられた構造ではなく、カーカスプライの端部がトレッド幅方向の内側から外側に折り返される構造を有する一般的な空気入りタイヤである。
【００５３】
［作用・効果］
上述したように、本発明の実施形態（第１実施形態〜第４実施形態）に係る空気入りタイヤによれば、空気入りタイヤに荷重が掛かったときでも、空気入りタイヤ（ビード部）が大きく屈曲しない位置に、カーカスプライ重複点Ｘを設定することができる。
【００５４】
したがって、空気入りタイヤに荷重が掛かったときに、内側カーカスコード部分と、外側カーカスコード部分とに作用する破断強力の差を抑制することができる。
【００５５】
すなわち、本発明の実施形態によれば、カーカスコードが一対のビードコアの周方向に沿って螺旋状に巻き付けられた構造において、カーカスコードの破断やカーカスプライのセパレーションが抑制され、荷重に対する耐久性がさらに向上する。
【００５６】
［その他の実施形態］
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなろう。
【００５７】
例えば、上述した本発明の第１実施形態では、ベルトプライは、ベルトプライ１３ａ及びベルトプライ１３ｂの２層によって構成されているが、ベルトプライは、２層以外（例えば、３層）であってもよい。
【００５８】
また、上述した本発明の第１実施形態では、スプール誘導レール１００は、略円環状の形状を有しているが、スプール誘導レール１００は、他の形状、例えば、トロイド状であってもよい。
【００５９】
さらに、上述した本発明の第１実施形態において、空気入りタイヤ１０を製造する場合、一対のビード部１１は、回転中心ＲＣが同一の直線上に並ぶように、略平行に配置されていたが、一対のビード部１１の上下方向（図３のＤ１方向）及び前後方向（図３のＤ２方向）の位置は、必ずしも揃っていなくても構わない。
【００６０】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【図面の簡単な説明】
【００６１】
【図１】本発明の第１実施形態に係る空気入りタイヤのトレッド幅方向の一部断面図である。
【図２】本発明の第１実施形態に係る空気入りタイヤのトレッド幅方向の一部拡大断面図である。
【図３】本発明の第１実施形態に係る空気入りタイヤの製造方法を説明するための説明図である。
【図４】本発明の第２実施形態に係る空気入りタイヤのトレッド幅方向の一部拡大断面図である。
【図５】本発明の第３実施形態に係る空気入りタイヤのトレッド幅方向の一部拡大断面図である。
【図６】本発明の第４実施形態に係る空気入りタイヤのトレッド幅方向の一部拡大断面図である。
【符号の説明】
【００６２】
１０，２０，３０，４０…空気入りタイヤ、１１，２１，３１，４１…ビード部、１１ａ，２１ａ，３１ａ，４１ａ…ビードコア、１１ｂ，２１ｂ，３１ｂ，４１ｂ…フィラーゴム、１２，２２，３２，４２…カーカスプライ、１２ｃ，２２ｃ，３２ｃ，４２ｃ…カーカスコード、１２ｃｉ，２２ｃｉ，３２ｃｉ，４２ｃｉ…内側カーカスコード部分、１２ｃｏ，２２ｃｏ，３２ｃｏ，４２ｃｏ…外側カーカスコード部分、１３ａ，１３ｂ…ベルトプライ、１４，２４，３４，４４…フランジ部、１５…トレッド部、１００…スプール誘導レール、１００ａ…開閉部、１１０…スプール、ＣＮ…半径中心、ＲＣ…回転中心、Ｘ…カーカスプライ重複点
【図１】
2006131001.tif 000004
【図２】
2006131001.tif 000005
【図３】
2006131001.tif 000006
【図４】
2006131001.tif 000007
【図５】
2006131001.tif 000008
【図６】
2006131001.tif 000009